(57)【特許請求の範囲】
【請求項１】
ネットワークを介して接続された画像形成装置と管理者端末とを備える画像形成システムであって、
前記画像形成装置は、
証明書専用の紙に付加されているＲＦタグからの紙識別情報を読み取る情報読取部と、
前記紙識別情報を取得する紙識別部と、
前記紙識別情報に基づき、前記証明書専用の紙毎に対応させた複数の文章が含まれている文書情報から印刷すべき文章を特定し、文書識別情報とする文書識別部と、
前記紙識別部からの前記紙識別情報と、前記文書識別部からの前記文書識別情報とを紐付けた印刷識別情報を生成する印刷識別部と、
前記管理者端末からの秘密鍵で暗号化された印刷許可情報を前記画像形成装置側の前記秘密鍵とペアとなっている公開鍵を用いて復号化し、さらに、前記印刷識別部からの前記印刷識別情報と照合し、一致した場合は、印刷許可を示す印刷制御情報を出力する印刷制御部と、
印刷許可を示す前記印刷制御情報を受け取ると、プリンター部に対し、未記入の前記証明書専用の紙に対して、前記特定した文章の印刷を行わせるプリンター制御部と、
前記印刷識別部が生成した前記印刷識別情報の前記管理者端末への送信と、前記管理者端末からの前記印刷許可情報の受信とを制御する第１の通信制御部とを有し、
前記管理者端末は、
前記画像形成装置からの前記印刷識別情報を取得する印刷識別情報取得部と、
前記印刷識別情報取得部が取得した前記印刷識別情報を前記秘密鍵を用いて暗号化し、前記印刷許可情報を生成する印刷許可情報生成部と、
前記画像形成装置からの前記印刷識別情報の受信と、前記印刷許可情報生成部が生成した前記印刷許可情報の前記画像形成装置への送信を制御する第２の通信制御部とを有する
ことを特徴とする画像形成システム。
【発明の詳細な説明】
【技術分野】
【０００１】
本発明は、地方自治体などが発行する各種証明書の印刷に適した画像形成システムに関する。
【背景技術】
【０００２】
従来より、地方自治体などの行政機関が発行する戸籍謄本や印鑑証明などの各種証明書の取得のための利便性を考慮した証明書の発行方法が種々提案されている。
【０００３】
たとえば、特許文献１では、利用者の都合の良い場所または時間にて文書の発行を受けることが可能な文書発行方法を提案している。この技術は、発行データを送信するセンター側装置が稼動していない場合、利用者側装置ではセンター側装置が稼動するのを待って利用者から受け付けた受付けデータをセンター側装置に送信し、センター側装置から受信した発行データに対応する文書を発行申込みを行った利用者へ発行するようにしたものである。
【０００４】
また、特許文献２では、利用者の指定の場所や時間での発行予約を受け付けて証明書を発行する証明書発行システムを提案している。この技術は、証明書を管理／配信するセンター側装置と、１つまたは複数の画像形成装置からなる証明書発行システムにおいて、申し込みに応じて証明書データの作成を行う証明書作成手段と、証明書データを指定された画像形成装置へと送信する送信手段とを有するセンター側装置と、センター側装置から送信された証明書データを受信する受信手段と、利用者の入力により発行処理を開始する発行処理開始手段と、利用者に身分証の提示を要求しそれを読み取る読み取り手段と、読み取り手段により読み取った情報を基に本人確認を行う本人確認手段とを有する画像形成装置とを具備するものである。
【先行技術文献】
【特許文献】
【０００５】
【特許文献１】特開２０００−２５９７２０号公報
【特許文献２】特開２００３−２４２２７９号公報
【発明の概要】
【発明が解決しようとする課題】
【０００６】
上述した特許文献１での文書発行方法では、センター側装置が休止中の場合も利用者側装置によって文書の発行受付けが行われることから、利用者の都合の良い時間にて発行を受けることができ、しかも利用者の都合の良い場所で文書を発行することが可能となっている。
【０００７】
また、上述した特許文献２での証明書発行システムでは、センター側装置から指定された画像形成装置へ証明書データが送信されるため、利用者が指定した場所や時間で証明書を発行することが可能となっている。
【０００８】
ところが、特許文献１での文書発行方法では、利用者の都合の良い場所で文書の発行が行われるため利便性は良いものの、利用者側装置が設置されている場所（たとえばコンビニエンスストアなどの利用者が容易に利用することができる店舗）に出向く必要があるという問題があった。
【０００９】
また、特許文献２での証明書発行システムでは、利用者が指定した場所や時間で証明書が発行されるため、利便性は良いものの、特許文献１と同様に画像形成装置が設置されているコンビニエンスストアなどに出向く必要があるという問題があった。
【００１０】
本発明は、このような状況に鑑みてなされたものであり、上記問題点を解消することができる画像形成システムを提供することを目的とする。
【課題を解決するための手段】
【００１１】
本発明の画像形成システムは、ネットワークを介して接続された画像形成装置と管理者端末とを備える画像形成システムであって、前記画像形成装置は、証明書専用の紙に付加されているＲＦタグからの紙識別情報を読み取る情報読取部と、前記紙識別情報を取得する紙識別部と、前記紙識別情報に基づき、前記証明書専用の紙毎に対応させた複数の文章が含まれている文書情報から印刷すべき文章を特定し、文書識別情報とする文書識別部と、前記紙識別部からの前記紙識別情報と、前記文書識別部からの前記文書識別情報とを紐付けた印刷識別情報を生成する印刷識別部と、前記管理者端末からの秘密鍵で暗号化された印刷許可情報を前記画像形成装置側の前記秘密鍵とペアとなっている公開鍵を用いて復号化し、さらに、前記印刷識別部からの前記印刷識別情報と照合し、一致した場合は、印刷許可を示す印刷制御情報を出力する印刷制御部と、印刷許可を示す前記印刷制御情報を受け取ると、プリンター部に対し、未記入の前記証明書専用の紙に対して、前記特定した文章の印刷を行わせるプリンター制御部と、前記印刷識別部が生成した前記印刷識別情報の前記管理者端末への送信と、前記管理者端末からの前記印刷許可情報の受信とを制御する第１の通信制御部とを有し、前記管理者端末は、前記画像形成装置からの前記印刷識別情報を取得する印刷識別情報取得部と、前記印刷識別情報取得部が取得した前記印刷識別情報を前記秘密鍵を用いて暗号化し、前記印刷許可情報を生成する印刷許可情報生成部と、前記画像形成装置からの前記印刷識別情報の受信と、前記印刷許可情報生成部が生成した前記印刷許可情報の前記画像形成装置への送信を制御する第２の通信制御部とを有することを特徴とする。
本発明の画像形成システムでは、画像形成装置側で、情報読取部により証明書専用の紙に付加されているＲＦタグから紙識別情報を読み取り、紙識別部により紙識別情報を取得し、文書識別部により特定の紙に印刷すべき文書情報を特定して文書識別情報とし、印刷識別部が紙識別情報と文書識別情報とを紐付けた印刷識別情報を生成する。この印刷識別情報は、管理者端末側に送られる。
管理者端末側では、印刷識別情報取得部により画像形成装置からの印刷識別情報を取得し、印刷許可情報生成部により秘密鍵を用いて印刷識別情報を暗号化した印刷許可情報を生成する。この印刷許可情報は、画像形成装置側に送られる。
そして、画像形成装置側では、印刷制御部により、暗号化された印刷許可情報を、秘密鍵とペアとなっている公開鍵により復号化し、印刷識別部からの印刷識別情報と照合し、一致した場合は印刷許可を示す印刷制御情報を出力する。これにより、プリンター部により、未記入の証明書専用の紙に対しての文書情報の印刷が行われる。
その結果、画像形成装置が個人宅又は会社に設置されている場合であっても、管理者端末からの印刷許可を受けて特定の紙への特定の文書の印刷を行うことができる。
【発明の効果】
【００１２】
本発明の画像形成システムによれば、画像形成装置が個人宅又は会社に設置されている場合であっても、管理者端末からの印刷許可を受けて特定の紙への特定の文書の印刷を行うことができる。このことから、従来のように、特定の文書を発行してもらうためにコンビニエンスストアなどの利用者が容易に利用することができる店舗に出向く必要が無くなり、特定の文書の発行の利便性をさらに向上させることができる。
【図面の簡単な説明】
【００１３】
【図１】本発明の画像形成システムの一実施形態を示す図である。
【図２】図１のＭＦＰの構成の一例を説明するための図である。
【図３】図１の管理者端末の構成の一例を説明するための図である。
【図４】図１の画像形成システムによる、特定の紙（証明書専用の紙など）に対して特定の文書が印刷されるまでの流れの一例を説明するための図である。
【発明を実施するための形態】
【００１４】
以下、本発明の画像形成システムの一実施形態を、図１〜図４を参照しながら説明する。なお、以下の説明においての画像形成装置の一例としては、たとえばコピー、プリント、ＦＡＸ（Ｆａｃｓｉｍｉｌｅ）などの各ジョブのマルチ動作機能や、ユーザーボックス機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１５】
まず、図１に示すように、ＭＦＰ１００Ａ、１００Ｂ、１００Ｎは、インターネットなどのネットワーク３００を介して管理者端末２００に接続されている。ＭＦＰ１００Ａ、１００Ｂ、１００Ｎは、個人宅又は会社に設置されているものとする。すなわち、ＭＦＰ１００Ａ、１００Ｂ、１００Ｎは、たとえば、地方自治体などの行政機関が発行する戸籍謄本や印鑑証明などの各種証明書を取得するユーザーの傍に設置されるものである。
【００１６】
管理者端末２００は、たとえば、戸籍謄本や印鑑証明などの各種証明書を発行する地方自治体などの行政機関側に配置されているものとする。なお、管理者端末２００側は、後述の秘密鍵２３０を有している。
【００１７】
戸籍謄本や印鑑証明などの各種証明書については、地方自治体などの行政機関側で用意した特定の紙（証明書専用の紙など）に対して特定の文書を印刷することで発行される。そこで、詳細は後述するが、事前に未記入の特定の紙（証明書専用の紙など）を本人確認の元で配布する。また、特定の紙（証明書専用の紙など）に印刷するための特定の文書についても特定の紙（証明書専用の紙など）の配布と同時にユーザーに与える。
【００１８】
次に、図２を参照し、ＭＦＰ１００Ａ、１００Ｂ、１００Ｎの構成の一例について説明する。ＭＦＰ１００Ａ、１００Ｂ、１００Ｎは、制御部１１０、スキャナー部１３０、プリンター部１３１、ＦＡＸ部１３２、Ｉ／Ｆ（インターフェース）１３３、情報読取部１３４、パネル部１３５、ＨＤＤ（Ｈａｒｄ  ｄｉｓｋ  ｄｒｉｖｅ）１３６を備えている。
【００１９】
スキャナー部１３０は、イメージセンサー（図示省略）によって読み取られる原稿の画像データを制御部１１０に入力する。すなわち、スキャナー部１３０は、イメージセンサー（図示省略）からの原稿の画像信号をデジタルの画像データに変換し、順次、制御部１１０に入力する。
【００２０】
プリンター部１３１は、制御部１１０から出力される画像データに基づき、用紙上に画像をプリントする。ＦＡＸ部１３２は、制御部１１０から出力される画像データを、電話回線を通じ相手方となるファクシミリへと送信し、また、相手方ファクシミリからの画像データを受信して制御部１１０に入力する。すなわち、ＦＡＸ部１３２は、図示しないＮＣＵ（Ｎｅｔｗｏｒｋ  Ｃｏｎｔｒｏｌ  Ｕｎｉｔ）により電話回線との接続を制御しつつ、制御部１１０から出力される画像データを圧縮し変調して、相手方ファクシミリへと送信する。また、ＦＡＸ部１３２は、ＮＣＵにより電話回線と接続しつつ、相手方ファクシミリからの画像データを復調し伸張して、制御部１１０に入力する。
【００２１】
Ｉ／Ｆ１３３は、インターネットなどのネットワーク３００を介して管理者端末２００との通信を行う。
【００２２】
情報読取部１３４は、特定の紙（証明書専用の紙など）に付加されている図示しないＲＦ（Ｒａｄｉｏ  Ｆｒｅｑｕｅｎｃｙ）タグからの後述の紙識別情報２３０ａを読み取る。すなわち、情報読取部１３４は、たとえばＭＦＰ１００Ａ、１００Ｂ、１００Ｎの原稿台（図示省略）の近傍に配置されており、たとえば図示しない特定の紙（証明書専用の紙など）がＭＦＰ１００Ａ、１００Ｂ、１００Ｎの原稿台（図示省略）に載置されると、図示しないＲＦタグからの後述の紙識別情報２３０ａを読み取る。
【００２３】
パネル部１３５は、ＭＦＰ１００Ａ、１００Ｂ、１００Ｎのプリンター機能、ＦＡＸ機能、スキャン機能のいずれかの選択や、各種設定を行うための操作ボタンなどを表示する。また、パネル部１３５は、図示しない特定の紙（証明書専用の紙など）に印刷すべき文書の選択などを促す設定画面などを表示する。なお、特定の紙（証明書専用の紙など）には、特定の文書が印刷されるものとする。
【００２４】
ＨＤＤ１３６には、ＭＦＰ１００Ａ、１００Ｂ、１００Ｎの種々の機能を提供するためのアプリケーションプログラムなどが記憶されている。また、ＨＤＤ１３６には、図示しない特定の紙（証明書専用の紙など）に印刷すべき文書などが記憶されている。
【００２５】
制御部１１０は、ＭＦＰ１００Ａ、１００Ｂ、１００Ｎ全体の動作を制御するものであり、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＲＯＭ（Ｒｅａｄ  Ｏｎｌｙ  Ｍｅｍｏｒｙ）１１６、画像処理部１１７、紙識別部１１８、文書識別部１１９、印刷識別部１２０、印刷制御部１２１、パネル操作制御部１２２、ＨＤＤ制御部１２３、システム制御部１２４を備えている。また、これらは、データバス１２５に接続されている。
【００２６】
スキャナー制御部１１１は、スキャナー部１３０の読み取り動作を制御する。プリンター制御部１１２は、プリンター部１３１のプリント動作を制御する。ＦＡＸ制御部１１３は、ＦＡＸ部１３２による画像データの送受信動作を制御する。通信制御部１１４は、Ｉ／Ｆ１３３を介しての通信を制御する。
【００２７】
ＲＡＭ１１５は、プログラムを実行するためのワークメモリである。ＲＯＭ１１６には、各部の動作チェックなどを行う制御プログラムなどが格納されている。画像処理部１１７は、たとえばスキャナー部１３０によって読み取られた原稿の画像データに対する画像処理を行う。画像処理に際しては、コピー機能、プリント機能、ＦＡＸ機能、ユーザーボックス機能のいずれかに対応する処理を実行する。
【００２８】
紙識別部１１８は、情報読取部１３４によって読み取られた特定の紙（証明書専用の紙など）に付加されている図示しないＲＦタグからの後述の紙識別情報２３０ａを取得し、印刷識別部１２０に与える。文書識別部１１９は、後述の文書情報２３０ｂから特定の紙（証明書専用の紙など）に印刷すべき文章を特定し、後述の文書識別情報２３０ｃとして印刷識別部１２０に与える。なお、後述の文書情報２３０ｂには、特定の紙（証明書専用の紙など）毎に対応させた複数の文章が含まれている。また、文書識別部１１９による文章の特定は、パネル部１３５を介しての選択に応じて行うことができる。なお、文書識別部１１９による文章の特定は、紙識別部１１８が取得した紙識別情報２３０ａに応じて行うこともできる。
【００２９】
印刷識別部１２０は、紙識別部１１８からの後述の紙識別情報２３０ａと、文書識別部１１９からの後述の文書識別情報２３０ｃとを紐付けた後述の印刷識別情報２３０ｄを生成する。この印刷識別情報２３０ｄは、上述したＩ／Ｆ１３３を介して管理者端末２００に送信される。また、この印刷識別情報２３０ｄは、印刷制御部１２１にも与えられる。
【００３０】
印刷制御部１２１は、管理者端末２００から送信される後述の印刷許可情報２３０ｅを、上述した地方自治体などの行政機関側から予め付与されている、管理者端末２００側の秘密鍵２３０とペアとなる公開鍵１４０を用いて復号化する。また、印刷制御部１２１は、管理者端末２００から送信される後述の印刷許可情報２３０ｅと、印刷識別部１２０からの後述の印刷識別情報２３０ｄと照合し、一致した場合はプリンター制御部１１２に対し後述の印刷制御情報２３０ｆを出力し、プリンター部１３１による特定の紙（証明書専用の紙など）に対する印刷を許可する。
【００３１】
パネル操作制御部１２２は、パネル部１３５の表示動作を制御する。ＨＤＤ制御部１２３は、ＨＤＤ１３６に対するデータの書き込みや読み出しなどを制御する。システム制御部１２４は、主にパネル部１３５によって特定の紙（証明書専用の紙など）に対する印刷が設定されているとき、紙識別部１１８、文書識別部１１９、印刷識別部１２０、印刷制御部１２１などによる処理を制御する。
【００３２】
次に、図３を参照し、管理者端末２００の構成の一例について説明する。管理者端末２００は、制御部２１０、Ｉ／Ｆ２２０、ＨＤＤ２２１などを備えている。
【００３３】
Ｉ／Ｆ２２０は、インターネットなどのネットワーク３００を介してＭＦＰ１００Ａ、１００Ｂ、１００Ｎとの通信を行う。
【００３４】
制御部２１０は、管理者端末２００全体の動作を制御するものであり、通信制御部２１１、ＲＡＭ２１２、ＲＯＭ２１３、印刷識別情報取得部２１４、印刷許可情報生成部２１５、ＨＤＤ制御部２１６、システム制御部２１７を備えている。また、これらは、データバス２１８に接続されている。
【００３５】
通信制御部２１１は、Ｉ／Ｆ２２０を介しての通信を制御する。ＲＡＭ２１２は、プログラムを実行するためのワークメモリである。ＲＯＭ２１３には、各部の動作チェックなどを行う制御プログラムなどが格納されている。印刷識別情報取得部２１４は、ＭＦＰ１００Ａ、１００Ｂ、１００Ｎからの後述の印刷識別情報２３０ｄを取得する。
【００３６】
ＨＤＤ制御部２１６は、ＨＤＤ２２１に対するデータの書き込みや読み出しなどを制御する。システム制御部２１７は、主にＭＦＰ１００Ａ、１００Ｂ、１００Ｎから後述の印刷識別情報２３０ｄを受け取ると、印刷識別情報取得部２１４、印刷許可情報生成部２１５による動作を制御する。
【００３７】
次に、図４を参照し、画像形成システムによる、特定の紙（証明書専用の紙など）に対して特定の文書が印刷されるまでの流れの一例について説明する。なお、以下の説明においては、ＭＦＰ１００Ａから管理者端末２００に後述の印刷識別情報２３０ｄが送信されるものとする。
【００３８】
まず、ＭＦＰ１００Ａ側では、情報読取部１３４によって特定の紙（証明書専用の紙など）に付加されている図示しないＲＦタグからの紙識別情報２３０ａを読み取る（ステップＳ１０１）。ここで、紙識別部１１８は、情報読取部１３４によって読み取られた紙識別情報２３０ａを取得し、印刷識別部１２０に与える（ステップＳ１０２）。
【００３９】
また、パネル部１３５によって特定の紙（証明書専用の紙など）に対応する特定の文書を選択する（ステップＳ１０３）。選択された文書情報２３０ｂは、文書識別部１１９とプリンター制御部１１２に与えられる。
【００４０】
この場合、文書識別部１１９は、パネル部１３５によって選択された特定の紙（証明書専用の紙など）に印刷すべき文書を特定する。なお、特定の文書を選択する際、文書識別部１１９が紙識別部１１８によって取得された紙識別情報２３０ａに応じて行うことができる。この場合、ステップＳ１０３での、パネル部１３５による特定の紙（証明書専用の紙など）に対応する特定の文書の選択が不要となる。文書識別部１１９は、特定した文章を、文書識別情報２３０ｃとして印刷識別部１２０に与える（ステップＳ１０４）。
【００４１】
印刷識別部１２０は、紙識別部１１８からの紙識別情報２３０ａと、文書識別部１１９からの文書識別情報２３０ｃとを紐付けた印刷識別情報２３０ｄを生成する。この印刷識別情報２３０ｄは、上述したＩ／Ｆ１３３を介して管理者端末２００に送信される（ステップＳ１０５）。また、印刷識別情報２３０ｄは、印刷制御部１２１にも与えられる（ステップＳ１０６）。
【００４２】
ここで、管理者端末２００側では、印刷識別情報取得部２１４が、ＭＦＰ１００Ａからの印刷識別情報２３０ｄを取得する。そして、印刷識別情報取得部２１４から印刷許可情報生成部２１５に取得した印刷識別情報２３０ｄが与えられる（ステップＳ１０７）。このとき、印刷許可情報生成部２１５は、秘密鍵２３０を用いて印刷識別情報２３０ｄを暗号化する。この暗号化された印刷識別情報２３０ｄは、印刷許可情報２３０ｅとされ、上述したＩ／Ｆ２２０を介してＭＦＰ１００Ａに送信される（ステップＳ１０８）。
【００４３】
ＭＦＰ１００Ａ側では、上述したＩ／Ｆ１３３を介して印刷許可情報２３０ｅを受け取ると、印刷制御部１２１が地方自治体などの行政機関側から予め付与されている、秘密鍵２３０ｄとペアとなっている公開鍵２３０ｅを用いて印刷許可情報２３０ｅを復号化する。また、印刷制御部１２１は、復号化した印刷許可情報２３０ｅと印刷識別部１２０からの印刷識別情報２３０ｄとを照合し、一致した場合はプリンター制御部１１２に対し、印刷許可を示す印刷制御情報２３０ｆを与える（ステップＳ１０９）。これにより、プリンター部１３１により、特定の紙（証明書専用の紙など）に対する、文書情報２３０ｂの印刷が行われる（ステップＳ１１０）。
【００４４】
このように、本実施形態では、ＭＦＰ１００Ａ、１００Ｂ、１００Ｎ側で、紙識別情報取得手段（情報読取部１３４、紙識別部１１８）により特定の紙に付与されている紙識別情報２３０ａを取得し、文書識別情報生成手段（文書識別部１１９）により特定の紙に印刷すべき文書情報２３０ｂを特定して文書識別情報２３０ｃとし、印刷識別手段（印刷識別部１２０）が紙識別情報２３０ａと文書識別情報２３０ｃとを紐付けた印刷識別情報２３０ｄを生成する。この印刷識別情報２３０ｄは、管理者端末２００側に送られる。
【００４５】
管理者端末２００側では、印刷識別情報取得手段（印刷識別情報取得部２１４）によりＭＦＰ１００Ａ、１００Ｂ、１００Ｎからの印刷識別情報２３０ｄを取得し、印刷許可情報生成手段（印刷許可情報生成部２１５）により秘密鍵２３０を用いて印刷識別情報２３０ｄを暗号化した印刷許可情報２３０ｅを生成する。この印刷許可情報２３０ｅはＭＦＰ１００Ａ、１００Ｂ、１００Ｎ側に送られる。
【００４６】
そして、ＭＦＰ１００Ａ、１００Ｂ、１００Ｎ側では、印刷制御手段（印刷制御部１２１）により、暗号化された印刷許可情報２３０ｅを、秘密鍵２３０とペアとなっている公開鍵１４０により復号化し、印刷識別手段（印刷識別部１２０）が生成した印刷識別情報２３０ｄと照合し、整合性があれば印刷制御情報２３０ｆを生成する。これにより、印刷手段（プリンター制御部１１２、プリンター部１３１）が特定の紙に対し文書情報２３０ｂの印刷を行う。
【００４７】
これにより、ＭＦＰ１００Ａ、１００Ｂ、１００Ｎが個人宅又は会社に設置されている場合であっても、管理者端末２００からの印刷許可を受けて特定の紙への特定の文書の印刷を行うことができる。
【００４８】
このことから、従来のように、特定の文書を発行してもらうためにコンビニエンスストアなどの利用者が容易に利用することができる店舗に出向く必要が無くなり、特定の文書の発行の利便性をさらに向上させることができる。
【００４９】
また、管理者端末２００側からの印刷許可情報２３０ｅは、暗号化されているため、印刷許可情報２３０ｅの捏造又は改竄を防ぐことも可能となる。
【００５０】
なお、以上の説明では、管理者端末２００からの印刷許可情報２３０ｅのみが暗号化されている場合としているが、ＭＦＰ１００Ａ、１００Ｂ、１００Ｎ側からの印刷識別情報２３０ｄを暗号化してもよい。
【００５１】
この場合、印刷識別部１２０が紙識別部１１８からの紙識別情報２３０ａと、文書識別部１１９からの文書識別情報２３０ｃとを、ハッシュ関数を用いてデータ化し、このデータを公開鍵１４０で暗号化した電子署名を印刷識別情報２３０ｄとする。
【００５２】
このようにすると、管理者端末２００側では、印刷識別情報２３０ｄを送信したＭＦＰ１００Ａ、１００Ｂ、１００Ｎの特定などを確実に行うことができる。
【符号の説明】
【００５３】
１００Ａ、１００Ｂ、１００Ｎ  ＭＦＰ
１１０  制御部
１１１  スキャナー制御部
１１２  プリンター制御部
１１３  ＦＡＸ制御部
１１４  通信制御部
１１５  ＲＡＭ
１１６  ＲＯＭ
１１７  画像処理部
１１８  紙識別部
１１９  文書識別部
１２０  印刷識別部
１２１  印刷制御部
１２２  パネル操作制御部
１２３  ＨＤＤ制御部
１２４  システム制御部
１２５  データバス
１３０  スキャナー部
１３１  プリンター部
１３２  ＦＡＸ部
１３３  Ｉ／Ｆ
１３４  情報読取部
１３５  パネル部
１３６  ＨＤＤ
１４０  公開鍵
２００  管理者端末
２１０  制御部
２１１  通信制御部
２１２  ＲＡＭ
２１３  ＲＯＭ
２１４  印刷識別情報取得部
２１５  印刷許可情報生成部
２１６  ＨＤＤ制御部
２１７  システム制御部
２１８  データバス
２２０  Ｉ／Ｆ
２２１  ＨＤＤ
２３０  秘密鍵
２３０ａ  紙識別情報
２３０ｂ  文書情報
２３０ｃ  文書識別情報
２３０ｄ  印刷識別情報
２３０ｅ  印刷許可情報
２３０ｆ  印刷制御情報
３００  ネットワーク
【図１】
0006332107.tif 000002
【図２】
0006332107.tif 000003
【図３】
0006332107.tif 000004
【図４】
0006332107.tif 000005